(57)【要約】【課題】ユーザがフォルダに格納された画像ファイルをディスプレイに表示する際に、画像ファイルがフォルダに取り込まれる処理の履歴に基づき、視認しやすくすることを目的とする。【解決手段】ユーザ操作処理部２０３からの操作で画像取り込み処理部２０４での取り込み処理が実行され、画像ファイルが画像情報／制御情報記憶部２０１に取り込まれる。その際に画像取り込み履歴表示制御部２０７で、取り込み履歴４０１を表示するが、表示する必要の無い取り込み履歴は、過去の取り込み履歴４０３に移動するか、又は削除する指示を持つようにした画像表示制御装置を提供する。【選択図】図４
2008046783.tif 000002
【特許請求の範囲】
【請求項１】
画像ファイルを取り込む画像取り込み手段と、
前記画像取り込み手段により取り込まれた複数の画像ファイルの取り込み処理単位を他の画像ファイルと識別された状態で表示するように制御する第１表示制御手段と、
前記画像取り込み手段により取り込まれた前記複数の画像ファイルの取り込み処理の履歴情報を記憶する記憶手段と、
前記記憶手段から前記履歴情報を読み出す読み出し手段と、
前記記憶手段から読み出された前記履歴情報を前記画像ファイル及び前記画像ファイルの取り込み処理単位と共に表示するように制御する第２表示制御手段を備える、ことを特徴とする画像表示制御装置。
【請求項２】
前記取り込み履歴は、取り込まれた前記複数の画像ファイルの格納場所、前記画像ファイルの画像属性及び前記画像ファイル自身のうち少なくとも１つを含む、ことを特徴とする請求項１に記載の画像表示制御装置。
【請求項３】
前記履歴情報の削除指示を外部から受け付ける削除指示受付手段と、
前記受け付けられた前記削除指示に基づき、前記削除指示の対象の画像ファイルに対応する前記履歴情報を削除する履歴削除手段と、を更に備える、ことを特徴とする請求項１乃至２の何れか１項に記載の画像表示制御装置。
【請求項４】
前記履歴情報の非表示指示を外部から受け付ける非表示指示受付手段と、を更に備え、
前記受け付けられた前記非表示指示に基づき、前記第２表示制御手段は、前記非表示指示の対象の画像ファイルに対応する前記履歴情報を表示しないよう制御する、ことを特徴とする請求項１乃至３の何れか１項に記載の画像表示制御装置。
【請求項５】
前記第２表示制御手段は、前記取り込まれた複数の画像ファイルの各画像ファイルの取り込み処理後の時間経過を検出し、前記検出の結果に従って、対象となる画像ファイルに対応する前記履歴情報を表示しないよう制御する、ことを特徴とする請求項１乃至４の何れか１項に記載の画像表示制御装置。
【請求項６】
画像ファイルを取り込むステップと、
前記取り込まれた複数の画像ファイルの取り込み処理単位を、他の画像ファイルと識別された状態で表示するよう制御するステップと、
前記取り込まれた前記複数の画像ファイルの取り込み処理の履歴情報を記憶するステップと、
前記履歴情報を読み出すステップと、
前記読み出された前記履歴情報を前記画像ファイル及び前記画像ファイルの取り込み処理単位と共に表示するステップを備える、ことを特徴とする画像表示装置の制御方法。
【請求項７】
コンピュータに、
画像ファイルを取り込むステップと、
前記取り込まれた複数の画像ファイルの取り込み処理単位を他の画像ファイルと識別された状態で表示するよう制御するステップと、
前記取り込まれた複数の画像ファイルの取り込み処理の履歴情報を記憶するステップと、
前記履歴情報を読み出すステップと、
前記読み出された前記履歴情報を前記画像ファイル及び前記画像ファイルの取り込み処理単位と共に表示するステップを実行させる、ことを特徴とするプログラム。
【発明の詳細な説明】
【技術分野】
【０００１】
本発明は、大量の画像ファイルと画像ファイルを保存する画像フォルダを管理するのに好適な画像表示制御装置、画像表示装置の制御方法、及びプログラムに関する。
【背景技術】
【０００２】
近年、銀塩フィルムを使用するカメラに取って代わりデジタルカメラが普及している。デジタルカメラにおいては、撮影した撮影画像を電子的な画像ファイルとして保存する。従って、ユーザはデジタルカメラで撮影した画像ファイルをパーソナルコンピュータに取り込み、各種の処理を行う事ができる。
【０００３】
即ち、単純に表示装置に表示して鑑賞することは勿論の事であるが、最近は高性能で廉価なプリンタが普及しているので、ユーザが自宅で印刷することが行われている。さらに、電子的な画像ファイルであるので、自宅のパーソナルコンピュータを利用し、整理して分類分けして保存管理し、加工編集ソフトウエアを利用して加工編集することも簡単に出来る。
【０００４】
さらには、ホームページ作成に利用し、E-Mailで知人に配り、文書作成の素材として利用するなど、大量の画像ファイルを管理し活用する事が一般的になってきた。
【０００５】
このように、デジタルカメラで撮影した画像ファイルを取り込み、パーソナルコンピュータ等で構成される画像ファイルの蓄積管理装置に保存する場合、画像ファイルを取り込んだ直後は、その画像ファイルを活用する可能性が高い。しかし、蓄積管理装置に取り込まれた画像ファイルの中で１回でも活用をした画像ファイルは、その後は保管を目的として管理されるようになる。従って、その後の利用頻度は、殆どの場合極端に落ちることが知られている。したがって、結果的に画像ファイルの蓄積管理装置には、膨大な量の画像ファイルが蓄積、保存されることとなる。
【０００６】
画像ファイルの蓄積管理装置に保存された膨大な量の画像ファイルを呼び出す選択操作を簡便にするためには、画像ファイル取りこみ操作の操作履歴を管理し表示する仕組みが必要である。例えば、このような画像ファイルの蓄積管理装置における操作履歴の管理方法としては、特許文献１で開示されているような方法が提案されている。
【０００７】
この特許文献１に開示された提案においては、文書管理システムにおいて、編集者が更新した文書ファイルの履歴を覚えるシステムであり、更新が無い文書ファイルを重複して持たせないことで文書ファイルの保管領域の無駄を省く事を目的としている。
【特許文献１】特開平５−１２４０５号公報
【発明の開示】
【発明が解決しようとする課題】
【０００８】
しかしながら、上述したような従来の管理方法においては、すべての文書ファイルの変更履歴を記録し続ける必要がある。従って管理対象となる文書ファイルが増えれば、又は文書ファイルの更新回数が増えれば、編集履歴は増加する一方であり、従って検索して呼び出す容易性は低下していくという欠点がある。
【０００９】
本発明はこのような事情を鑑み、デジタルカメラなどの画像ファイルの撮影装置からパーソナルコンピュータなどの画像蓄積装置に画像ファイルを取り込みを行う場合に好適な仕組みを提供する。すなわち、画像ファイルの取りこみ処理単位毎に、取り込み後の画像ファイルを他の画像ファイルと識別可能に表示することでユーザが視認しやすくなるようにするものである。
【００１０】
即ち本発明は、ユーザが画像ファイルを操作し、新規に画像ファイルをフォルダに取り込む処理を行る場合、画像ファイルの表示状態を変化させるこで、ユーザが視認しやすくなるような画像表示制御装置及び画像表示装置の制御方法の提供を目的とする。
【課題を解決するための手段】
【００１１】
上記目的を達成するため、本発明の実施形態における画像表示制御装置は、
画像ファイルを取り込む画像取り込み手段と、
前記画像取り込み手段により取り込まれた複数の画像ファイルの取り込み処理単位を他の画像ファイルと識別された状態で表示するように制御する第１表示制御手段と、
前記画像取り込み手段により取り込まれた前記複数の画像ファイルの取り込み処理の履歴情報を記憶する記憶手段と、
前記記憶手段から前記履歴情報を読み出す読み出し手段と、
前記記憶手段から読み出された前記履歴情報を前記画像ファイル及び前記画像ファイルの取り込み処理単位と共に表示するように制御する第２表示制御手段を備える、ことを特徴とする。
【００１２】
上記目的を達成するため、本発明の他の実施形態における画像表示装置の制御方法は、
画像ファイルを取り込むステップと、
前記取り込まれた複数の画像ファイルの取り込み処理単位を、他の画像ファイルと識別された状態で表示するよう制御するステップと、
前記取り込まれた前記複数の画像ファイルの取り込み処理の履歴情報を記憶するステップと、
前記履歴情報を読み出すステップと、
前記読み出された前記履歴情報を前記画像ファイル及び前記画像ファイルの取り込み処理単位と共に表示するステップを備える、ことを特徴とする。
【発明の効果】
【００１３】
本発明によれば、ユーザが画像ファイルを操作することで新規に画像ファイルをフォルダに取り込む処理を行わせた場合に、これらの画像ファイルの表示状態を変化させる。したがって、ユーザは大量の画像ファイルの中から目的とする画像ファイルを探しやすくなり、操作性が向上する。
【発明を実施するための最良の形態】
【００１４】
以下、添付した図面を参照して、本発明の実施形態に係る画像表示制御装置で実行される画像表示制御処理について詳細に説明する。
【００１５】
＜システム構成＞
図１は、本発明の実施形態に係る画像表示制御装置を実現し得る、パーソナルコンピュータ等の情報処理装置とデジタルカメラ等の撮像装置からなる画像表示制御システムの構成例を示す図である。
【００１６】
図１において、１０１はパーソナルコンピュータ（以下ＰＣとする）本体、１０２はデータを表示するディスプレイ、１０３は代表的なポインティングデバイスであるマウス、１０４はキーボード及び１０５は撮像装置としてのデジタルカメラである。
【００１７】
尚、ＰＣ１０１は、図２に示すように、ＰＣ１０１全体を制御するためのＣＰＵ２１０、ＣＰＵ２１０が実行する制御プログラムや各種データを記憶するＲＯＭ２１１、制御時の各種情報を一時的に記憶するＲＡＭ２１２等を備える。
【００１８】
また、本発明の実施形態に係る画像表示制御システムにおいては、ＰＣ１０１とデジタルカメラ１０５は、ＵＳＢインターフェイスを利用してＵＳＢケーブル１０６で接続され、相互に通信可能に構成される。この接続はＵＳＢケーブルでの接続に限ることなく、ＰＣ１０１とデジタルカメラ１０５間での通信が可能であれば、無線接続であっても構わない。また、所謂デジタルカメラ１０５に搭載して取り外し可能な半導体メモリカードをＰＣ１０１に設けた半導体メモリカード装着部（図示せず）に装着することでも、本発明は実施可能である。
【００１９】
図２は、本発明の実施形態に係る画像表示制御装置の全体構成を示すブロック図である。この画像表示制御装置は、基本的にＰＣ１０１で構成される。図２において、画像情報／制御情報記憶部２０１には、画像ファイル、画像ファイルを格納するための画像フォルダ及び画像表示制御装置の制御情報が記憶されている。通常、画像情報／制御情報記憶部２０１はハードディスク装置で構成され、大量の画像ファイルを格納可能とされている。
【００２０】
図２に示した、本発明の実施形態では、画像情報／制御情報記憶部２０１は、図１に示すＰＣ本体１０１に内蔵されたものとして説明するが、ネットワーク等で接続された他の外部装置内に設けることも可能である。
【００２１】
１０２は図１に示したディスプレイ１０２である。また２０３は、ユーザが、本発明の実施形態に係る画像表示制御装置を操作するユーザ操作処理部であり、図１のマウス１０３およびキーボード１０４が接続される。
【００２２】
ユーザ操作処理部２０３は、マウス１０３およびキーボード１０４からの信号を受け、ディスプレイ１０２に画像情報／制御情報記憶部２０１に蓄積されている画像ファイルや画像フォルダを、ユーザに選択させる。また、画像取り込み処理を開始するときの操作メニューに従ってユーザの操作を入力するインターフェイスとなる。
【００２３】
２０４は、デジタルカメラ１０５から画像ファイルの取り込みを行なう画像取り込み処理部である。画像取り込み処理部２０４は、ＵＳＢケーブル１０６によりデジタルカメラ１０５と接続されている。そして、ユーザ操作により発生するユーザ操作処理部２０３からの指示で画像ファイル取り込み処理が開始され、デジタルカメラ１０５から画像ファイルを画像情報／制御情報記憶部２０１に取り込む。
【００２４】
画像ファイルの取り込み処理の直後においては、ディスプレイ１０２には、取り込まれた画像ファイルが書き込まれた画像フォルダと、取り込み結果の画像ファイルが選択状態（選択色表示、太枠表示、、反転表示、ハイライト表示等）で表示される。この様子は、たとえば、図３の画像フォルダ”Ａ”３０３及び画像フォルダ”Ｂ”３０４のように、選択状態にある及びの色を選択されたことを示す選択色で表示する。
【００２５】
また画像フォルダ”Ａ”３０３では、４個の画像ファイルが新規に取り込まれ、画像フォルダ”Ｂ”３０４では、２個の画像ファイルが新規に取り込まれたことが、各画像の下に表示される画像情報が選択状態で表示されることで認識される。
【００２６】
２０５は、ディスプレイ１０２での画像フォルダの表示の制御を行う画像フォルダ表示制御部であり、ＰＣ１０１の画像情報／制御情報記憶部２０１に階層的に配置されている画像フォルダの構造をツリー状態に表示制御する部分である。ユーザ操作によるユーザ操作処理部２０３からの指示で処理が開始され、ツリーの省略表示や詳細表示、そして、現在位置表示の場所が変更される処理を制御する。図３の例では、既存の画像フォルダ３０１の下層にある２つの画像フォルダ”Ａ”３０３及び画像フォルダ”Ｂ”３０４に新たな画像ファイルの取り込みをしたので、親の画像フォルダ３０１（図中画像フォルダ名が”１”とされている）が選択状態になっている。
【００２７】
２０６は、ディスプレイ１０２での画像ファイルの表示制御を行う画像ファイル表示制御部であり、ＰＣ１０１の画像情報／制御情報記憶部２０１に階層的に配置されている画像フォルダ内の、現在位置の画像ファイルの一覧表示を制御する。
【００２８】
ユーザ操作によるユーザ操作処理部２０３からの指示で処理が開始され、画像ファイルそのものの縮小表示や、現在位置以下の画像フォルダの構造の表示をする処理を制御する。図３のフォルダーツリー表示部３００での表示状態においては３０１に対応し、３０２のように親画像フォルダ（図中フォルダ名が”１”とされている）全体が表示される。そして、過去にその画像フォルダに取り込まれた画像データは非選択状態で表示されると共に、画像フォルダ”Ａ”３０３及び画像フォルダ”Ｂ”３０４選択状態で表示されている。
【００２９】
また、ＰＣ１０１は内部バス２１３を有し、この内部バス２１３を介して上記した各部が接続されると共に、ＣＰＵ２１０、ＲＯＭ２１１およびＲＡＭ２１２も接続されている。
【００３０】
以上説明したシステム構成部分は、公知のコンピュータシステムや公知の情報管理システムで広く利用されている構成である。
【００３１】
本発明の実施形態における画像表示制御装置では、図２で示すように、前述の画像表示制御装置のユーザ操作処理部２０３及び画像ファイル表示制御部２０６の改良を行い、画像取り込み履歴表示制御部２０７が追加されて構成される。これにより、新たな機能が追加されるものであるが、以下、本発明の実施形態１、２に係る画像表示制御装置を順次詳細に説明する。
【００３２】
＜実施形態１＞
図５は、ユーザがユーザ操作処理部２０３に接続されたマウス１０３及びキーボード１０４を使用し、画像ファイルの取り込みを指示した際に動作する処理を表すフローチャート図である。ＣＰＵ２１０がアプリケーションプログラムにしたがい、各種モジュールを制御することにより実行される。まず画像ファイル取り込み処理は、画像取り込み処理部２０４で実行され、その後、ステップＳ５０１乃至Ｓ５０４の処理を実行する。
【００３３】
即ち、ステップＳ５０１で新規に取り込まれた画像ファイルがあるかどうか判定する。ステップＳ５０１で新規な画像ファイルが取り込まれたと判定されたら、ステップＳ５０２を実行する。ステップＳ５０２は、図３の３０１に示すように、フォルダーツリー表示部３００の画像フォルダアイコンに対して選択状態の表示をする。このステップＳ５０２は画像フォルダ表示制御部２０５がユーザ操作処理部２０３からの指示に応答してディスプレイ１０２の表示内容を書き換えることで実現される。
【００３４】
ステップＳ５０２に引き続きステップＳ５０３が実行される。ステップＳ５０３は、図３の３０２のように画像フォルダ表示部分で、現在最上位の画像フォルダ”１”とその中の画像フォルダを表示する。そして、画像フォルダ３０３および３０４のように、その中に新規に取り込んだ画像ファイルが存在する画像フォルダに対し、画像ファイルが新規に取り込まれた事を示す選択状態での表示をする。ステップＳ５０３は画像ファイル表示制御部２０６がユーザ操作処理部２０３からの指示に応答してディスプレイ１０２の表示内容を書き換える。
【００３５】
さらに、ステップＳ５０３に続いて、ステップＳ５０４からＳ５０７の処理が実行される。ステップＳ５０４からＳ５０７までの処理は取り込み履歴情報を作成する。その後ステップＳ５０８に進む。ステップＳ５０８の処理は、図４の取り込み履歴表示部４０１に示すように、画像取りこみ履歴情報を表示する。ステップＳ５０８自体は画像取り込み履歴表示制御部２０７に対し表示を指示するだけで、画像取り込み履歴表示制御部２０７がディスプレイ１０２の表示内容を書き換える。
【００３６】
本実施形態１における画像ファイル取りこみ処理の場合、取りこみ履歴情報は以下の内容であり、これらの内容は、例えば図４の４０２に示すように表示される。
【００３７】
・取りこみ日時 ： ２００５年５月１日に画像ファイルの取り込みが実行された、
・取りこみ内容 ： ６個の画像ファイルが２つの画像フォルダに取り込まれた、
・取りこみ画像フォルダの詳細 ：
-画像フォルダ”Ａ”に４個の画像ファイルが取り込まれた、
-画像フォルダ”Ｂ”に２個の画像ファイルが取り込まれた。
【００３８】
これより、この画像ファイルの取りこみ履歴情報がどのように作成されるかについて、内部の処理を図５のフローチャート図を参照して、以下詳細に述べる。
【００３９】
先ずステップＳ５０４では、この画像ファイル取りこみ処理の画像ファイルの取りこみ先画像フォルダが、新規な画像フォルダであるか否かを判定する。本実施形態１では、例えば初めて画像フォルダ”Ａ”に画像ファイルを取り込む場合、ステップＳ５０５に進み、取り込み履歴に、画像フォルダ”Ａ”の情報を記憶する。ステップＳ５０４の判断の結果にかかわらず、ステップＳ５０７が実行される。ステップＳ５０７は、新規に取り込まれた情報が画像ファイルである事を確認し、取り込み先画像フォルダ、さらに、その上位画像フォルダを探索し、画像ファイル取り込み枚数をカウントアップする。本実施形態１では、この画像ファイル取り込み処理の開始直後に、初めて画像フォルダ”Ａ”に画像ファイルを取り込む場合は、画像フォルダ”Ａ”の画像ファイルの個数（枚数）を１とし、さらに取り込み履歴全体の画像ファイルの個数（枚数）も１とする。
【００４０】
ステップＳ５０８では、これまでのステップＳ５０４、Ｓ５０５およびＳ５０７の処理結果を表示する。すなわち、実施形態１で、この画像ファイルの取り込み処理の開始直後に、初めて画像フォルダ”Ａ”に画像ファイルを取り込む場合は、以下をまず表示する。  ・取りこみ日時 ： ２００５年５月１日に画像ファイルの取り込みが実行された、
・取りこみ内容 ： １個の画像ファイルが１つの画像フォルダに取り込まれた、
・取りこみ画像フォルダの詳細 ： 
-画像フォルダ”Ａ”に１個の画像ファイルが取り込まれた。
【００４１】
さらに画像ファイルの取り込み処理を継続し、最終的には以下のように表示する。
【００４２】
・取りこみ日時 ： ２００５年５月１日に画像ファイルの取り込みが実行された、
・取りこみ内容 ： ６個の画像ファイルが２つの画像フォルダに取り込まれた、
・取りこみ画像フォルダの詳細 ：
-画像フォルダ”Ａ”に４個の画像ファイルが取り込まれた、
-画像フォルダ”Ｂ”に２個の画像ファイルが取り込まれた。
【００４３】
以上説明したように、本発明によれば、図３に示すように、ユーザの指示に応答して新規に画像ファイルが取り込まれた画像フォルダを、それ以外のフォルダと区別して表示することができる。また、図４に示すように、実施形態１の画像表示制御装置の表示状態は、取り込み履歴表示部分で、新規に画像ファイルが取り込まれた画像フォルダに対し、４０２のように画像取り込み履歴情報を表示する事が出来る。これらにより画像表示制御装置のユーザに、最近画像表示制御装置に取り込んだ画像ファイルを、簡単に見つけ出し操作することを可能にする。
【００４４】
＜実施形態２＞
本発明の実施形態２は、本発明の実施形態１に対し、図５の処理を改良した図６の処理に置き換えて、さらに図７の取り込み履歴操作画面を追加し、画像ファイルの取り込み履歴情報の表示状態を操作可能としたものである。以下、この実施形態２について詳細に説明する。
【００４５】
図６は、ユーザがユーザ操作処理部２０３で画像の取り込みを指示した際に動作する処理を表すフローチャート図である。画像ファイル取り込み処理は画像取り込み処理部２０４で実行され、その後、前述の実施形態１で説明したステップＳ５０１乃至Ｓ５０３の処理と、ステップＳ５０４乃至Ｓ５０７の処理が行われる。それらの処理ステップの中に付加したステップＳ６０１乃至Ｓ６０６の処理を実行することで実施形態２が実行される。
【００４６】
以下に、実施形態２における、この付加したステップＳ６０１乃至Ｓ６０６に関して詳細に説明する。ステップＳ６０１は、図７の環境設定画面の履歴操作タブ画面でユーザが設定した画像ファイル取り込み履歴操作のユーザ設定情報を読み込む処理である。図７では７０１のラジオボタングループで、以下のいずれかを選択する。
【００４７】
・操作の履歴に従って、履歴を自動的に非表示にして隠す、
・操作の設定に従って、履歴を自動的に削除する、
・履歴の操作は手動で行う。
【００４８】
７０２のラジオボタングループでは、ラジオボタングループ７０１で履歴を自動的に操作する場合に、７０３のラジオボタンを選択すれば、履歴を表示する数を制御する事を選択する事になる。またその数をスピンボックスで設定可能とされている。本実施形態２では、その数は、例えば１から１００の間で選択可能である。
【００４９】
また、７０４のラジオボタンを選択すれば、履歴を表示する期間を制御する事を選択する事になる。またその期間をスピンボックスで設定可能とされている。本実施形態２では、期間は、１日、１週間、１ヶ月、１年の中から選択可能である。以上、説明するように２種類の操作設定を選択可能に構成される。なお、この期間は画像ファイルがフォルダに取り込まれた時点からの期間とする。画像ファイルがフォルダに取り込まれた時点は履歴設定に記憶されている。
【００５０】
また、ステップＳ６０１は、これらの履歴設定を読み込む処理ステップである。図７の設定例では、操作の設定例に従って履歴を自動的に非表示にして隠す、さらに最新の５回の画像ファイル取り込み履歴を表示する、とした選択がユーザによりなされており、これを履歴設定として読み込む。
【００５１】
さらにステップＳ６０２は、ステップＳ５０１で新規な画像ファイル取り込み処理が完了したと判断した後に、過去の画像ファイル取り込み履歴も含め、全ての画像ファイル取り込み履歴を読み込む処理ステップである。
【００５２】
ステップＳ６０３は、履歴表示の変更操作を行うか否かを判断するステップである。ステップＳ６０３で履歴表示の変更操作を行うのであればステップＳ６０４に進み、ステップＳ６０２で読み込んだ画像ファイル取り込み履歴の分類を開始する。図７の設定例では、最新の５回の画像ファイル取り込み履歴を表示するので、ステップＳ６０４に進む。
【００５３】
ステップＳ６０４は、１つの未処理の画像ファイル取り込み履歴を検査する。図７の設定例では、過去６回以前の画像ファイル取り込み履歴が存在すれば、ステップＳ６０５に進む。
【００５４】
また、ステップＳ６０５は、操作対象の１つの未処理の画像ファイル取り込み履歴を操作する処理ステップであり、図７の７０１の選択における指示が”隠す”の指示であれば非表示データに分類する。また、図７の７０１の選択が”削除”する選択であれば、削除する処理を行う。ステップＳ６０４で操作すべき画像ファイル取り込み履歴情報が無いと判断された場合は、次のステップＳ６０６が実行される。
【００５５】
このステップＳ６０６では、最新の画像ファイル取り込み履歴情報に従って画像取りこみ履歴情報を表示する。つまり、最新の画像ファイル取り込み履歴情報をステップＳ６０１で読み込まれた履歴設定と比較し、その比較結果に基づいて履歴情報を抽出する。ステップＳ６０６はユーザの操作に応答して、抽出された履歴情報に基づき、画像取り込み履歴表示制御部２０７がディスプレイ１０２の表示内容を書き換える。
【００５６】
以上の処理により取り込み履歴４０１の表示は更新され、図７の設定例では、４０２の履歴情報は５回分以内が表示され、それ以上の履歴情報は４０３の過去の取り込み履歴以下に移動される。この動作により、画像取り込み履歴の表示がユーザの設定により好みの数だけ表示され、検索容易性を低下させることなく検索できる操作を提供できる。
【００５７】
なお、ステップＳ６０１乃至Ｓ６０６の処理ステップは、画像ファイル取り込み操作のタイミングだけでなく、画像表示制御装置の起動のタイミングでも実施可能である。その結果、図７の設定例の、「操作の設定」のラジオボタン７０２を、履歴を表示する期間の指定を選択した場合、履歴情報４０２は、期間で指定された範囲に行われた画像ファイル取り込み処理の取り込み履歴が表示される。そのため、画像表示制御装置を起動するが画像取り込み処理を行わない場合であっても、４０２の履歴情報の表示は、古いものから消え、ユーザの検索容易性は、さらに向上することが可能となる。
【００５８】
＜その他の実施形態＞
以上、実施形態１、２について詳しく説明したが、本発明は、例えばシステム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００５９】
尚、本発明は、前述した各実施形態の機能を実現するソフトウェアのプログラム（実施形態では図に示すフローチャートに対応したプログラム）を、システムあるいは装置に直接あるいは遠隔から供給することも考えられる。その場合、そのシステムあるいは装置がプログラムコードを読み出して実行することによっても達成される場合を含む。
【００６０】
従って、本発明の機能処理をコンピュータで実現するために、該コンピュータに組み込まれるプログラムコード自体も本発明を実現するものである。つまり、本発明は、本発明の機能処理を実現するためのコンピュータプログラム自体も含まれる。
【００６１】
その場合、プログラムの機能を有していれば、オブジェクトコード、インタプリタにより実行されるプログラム、ＯＳに供給するスクリプトデータ等の形態であっても良い。
【００６２】
プログラムを供給するための記録媒体（記憶媒体）としては、以下に示す。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【００６３】
その他、プログラムの供給方法としては、クライアントコンピュータのブラウザを用いてインターネットのホームページに接続して実行してもよい。即ち、ホームページから本発明のコンピュータプログラムそのもの、もしくは圧縮され自動インストール機能を含むファイルをハードディスク等の記録媒体にダウンロードすることによっても供給できる。
【００６４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせることでも実施できる。ユーザは、その鍵情報を使用することにより暗号化されたプログラムを実行してコンピュータにインストールさせて実現することも可能である。
【００６６】
また、コンピュータが読み出したプログラムを実行することによって、前述した実施形態の機能が実現される。また、そのプログラムの指示に基づき、コンピュータ上で稼動しているＯＳなどが、実際の処理の一部又は全部を行い、その処理によっても前述した実施形態の機能が実現され得る。
【００６７】
さらに、記録媒体から読み出されたプログラムが、コンピュータに挿入された機能拡張ボードやコンピュータに接続された機能拡張ユニットに備わるメモリに書き込むことも考えられる。その場合そのプログラムの指示に基づき、その機能拡張ボードや機能拡張ユニットに備わるＣＰＵなどが実際の処理の一部又は全部を行い、その処理によっても前述した実施形態の機能が実現される。
【図面の簡単な説明】
【００６８】
【図１】本発明の実施形態に係る画像表示制御装置を実現し得るプラットフォームであるコンピュータシステムの構成例を示す図である。
【図２】本発明の実施形態に係る画像表示制御装置の全体構成を示すブロック図である。
【図３】従来技術における画像表示制御装置において、画像取り込み処理を行った直後の画像管理システムの画面表示例を示す図である。
【図４】本発明の実施形態１、２に係る画像表示制御装置において、画像取り込み処理を行った後の画像表示制御装置の画面表示例を示す図である。
【図５】本発明の実施形態１に係る画像表示制御装置において、新規画像ファイル取り込み処理時の画像フォルダを表示する表示処理の動作を説明するためのフローチャート図である。
【図６】本発明の実施形態２に係る画像表示制御装置において、新規画像ファイル取り込み処理時の画像フォルダを表示する表示処理の動作を説明するためのフローチャート図である。
【図７】本発明の実施形態２に係る画像表示制御装置において、画像ファイル取り込み履歴をユーザに選択操作させる画面を示す図である。
【図１】
2008046783.tif 000003
【図２】
2008046783.tif 000004
【図３】
2008046783.tif 000005
【図４】
2008046783.tif 000006
【図５】
2008046783.tif 000007
【図６】
2008046783.tif 000008
【図７】
2008046783.tif 000009